(57)【要約】【課題】簡単な構造で、安定して大きな圧入強度が得られる、電磁リレーの端子保持構造を提供すること。【解決手段】本発明の電磁リレーの端子保持構造は、電磁リレーに一対のコイル端子２，２を保持する保持構造において、コイル端子２には、その長手方向に対して略直交する方向であって相互に略平行な方向に突出する第１及び第２の突起部２３及び２４を所定間隔、隔てて設け、コイルボビン１１には、第１の突起部２３が嵌まる凹部１１ａ、及び第１の突起部２３と第２の突起部２４との間の空間２５に嵌まる凸部１１ｂを設け、ボディ３には、第２の突起部２４を挿嵌する溝部３１を設けたものであって、第１の突起部２３を凹部１１ａに圧入し、凸部１１ｂを空間２５に圧入し、第２の突起部２４を溝部３１に挿嵌すると共に凸部１１ｂによって位置規制されてコイル端子２が保持されることを特徴としている。【選択図】　　　　　図１
2004119033.tif 000002
【特許請求の範囲】
【請求項１】
少なくとも、コイルボビンに巻回されるコイルを備えた電磁石と、電磁石により駆動されて接離動作を行う接点を備えたボディと、を有する電磁リレーに一対のコイル端子を保持する電磁リレーの端子保持構造において、
前記コイル端子には、その長手方向に対して略直交する方向であって相互に略平行な方向に突出する第１及び第２の突起部を所定間隔、隔てて設け、前記コイルボビンには、前記第１の突起部が嵌まる凹部、及び前記第１の突起部と前記第２の突起部との間の空間に嵌まる凸部を設け、前記ボディには、前記第２の突起部を挿嵌する溝部を設けたものであって、前記第１の突起部を前記凹部に圧入し、前記凸部を前記空間に圧入し、前記第２の突起部を前記溝部に挿嵌すると共に前記凸部によって位置規制されてコイル端子が保持されることを特徴とする電磁リレーの端子保持構造。
【請求項２】
前記溝部は、前記ボディの一側面に所定間隔、隔てて設けられ、コイル端子の長手方向に対して略直交する平面内において、電磁石が回動することを規制しているものである請求項１記載の電磁リレーの端子保持構造。
【発明の詳細な説明】
【０００１】
【発明の属する技術分野】
本発明は、電磁石への通電に応じて接点を動作させる電磁リレーにコイル端子を保持する電磁リレーの端子保持構造に関する。
【０００２】
【従来の技術】
従来、電磁リレーにコイル端子を保持する電磁リレーの端子保持構造として、例えば図５及び図６に示すようなものがある（例えば、特許文献１参照。）。なお、図５は、コイルボビンの断面図、図６（ａ）〜（ｃ）は、コイル端子の圧入過程を説明するための断面図である。
【０００３】
まず、コイル端子１２０，１２０の保持構造について説明する。図５に示すように、コイルボビン１１９の両端の鍔部１１９ａにはそれぞれ凹状の圧入部１１９ｂが設けられ、圧入部１１９ｂの底部の略中央には圧入部１１９ｂの開口側に突出する突起部１１９ｃが形成されている。コイル端子１２０は、導電性を有する板材により、一端側にプリント基板に半田付けされる端子片１２０ｃが形成され、他端側に保持部１２０ａが形成されている。この保持部１２０ａは一対の脚片１２０ｄを有する略Ｕ字状に形成され、各脚片１２０ｄの外側端面には、圧入方向に傾斜したテーパが形成された爪部１２０ｂが突設されている。また、両脚片１２０ｄの先端は、圧入部１１９ｂの内面側及び突起部１１９ｃ側に丸みを帯びた形状に形成されている。
【０００４】
次に、コイル端子１２０を圧入部１１９ｂに圧入する過程を、図６を参照して説明する。コイル端子１２０を一対の脚片１２０ｄの方から圧入部１１９ｂに挿入していくと、両脚片１２０ｄの先端が丸みを帯びているため、圧入部１１９ｂの開口端縁に押されて、図６（ａ）に示すように、圧入方向と略直交する方向であって保持部１２０ａの中心軸側に両脚片１２０ｄが撓みながら挿入される。さらに圧入すると、両脚片１２０ｄに形成される爪部１２０ｂのテーパが圧入部１１９ｂの開口端縁に当接してガイドされることによって、両脚片１２０ｄは、さらに同じ向きに撓みながら挿入される。そして爪部１２０ｂが圧入部の内面に接するまで圧入されると、図６（ｂ）に示すように、突起部１１９ｃが両脚片１２０ｄの間に挿入され、両脚片１２０ｄの撓みが規制される。ここで、両脚片１２０ｄの先端は丸みを帯びているため、突起部１１９ｃは両脚片１２０ｄの間に引っ掛かりなく容易に挿入される。したがって、爪部１２０ｂは対向する圧入部１１９ｂの内面に徐々に食い込み、圧入強度を大きくし、図６（ｃ）に示すようにコイル端子１２０を圧入固定することができる。
【０００５】
また、従来の電磁リレーの端子保持構造として、例えば図７に示すようなものもある。なお、図７は、電磁石ブロック１及びコイル端子２の側面断面図を示し、接点等が設けられるボディ等の図示を省略している。
【０００６】
電磁石ブロック１は、コイルボビン１１と、コイルボビン１１に巻回されるコイル１２と、大略Ｌ字状をなす継鉄１３と、電磁力によって駆動される接極子１４と、接極子１４をばね付勢するヒンジばね１５と、を有して構成されている。そして、コイルボビン１１には、図７に斜線で示すように、後述するコイル端子２の第１の突起部２３が嵌まる凹部１１ａが形成されている。コイル端子２は、コイル端子本体２１と、このコイル端子本体２１の一端からコイル端子本体２１の長手方向に対して略直交する方向であってコイルボビン１１と反対側に突出するコイル接続部２２と、このコイル接続部２２とほぼ反対側に突出する第１の突起部２３と、が設けられている。かくして、コイル端子２は、第１の突起部２３が凹部１１ａに圧入されてコイルボビン１１に保持されるのである。
【０００７】
【特許文献１】
特開２００１−１４９９２号公報（第４頁、第１図、第２図）
【０００８】
【発明が解決しようとする課題】
ところで、図５及び図６に示す、電磁リレーの端子保持構造によれば、保持部１２０ａの撓みによって圧入強度が安定化し、また、爪部１２０ｂが圧入部１１９ｂ内に在るときに保持部１２０ａの撓みを規制するため、圧入強度を大きくすることができるようになっているものの、コイル端子１２０の構造がやや複雑である。一方、図７に示す、電磁リレーの端子保持構造によれば、コイル端子２の構造が比較的簡単であるが、圧入強度が小さい。
【０００９】
本発明は、上記事由に鑑みてなしたもので、その目的とするところは、簡単な構造で、安定して大きな圧入強度が得られる、電磁リレーの端子保持構造を提供することにある。
【００１０】
【課題を解決するための手段】
請求項１に係る発明の電磁リレーの端子保持構造は、少なくとも、コイルボビンに巻回されるコイルを備えた電磁石と、電磁石により駆動されて接離動作を行う接点を備えたボディと、を有する電磁リレーに一対のコイル端子を保持する電磁リレーの端子保持構造において、前記コイル端子には、その長手方向に対して略直交する方向であって相互に略平行な方向に突出する第１及び第２の突起部を所定間隔、隔てて設け、前記コイルボビンには、前記第１の突起部が嵌まる凹部、及び前記第１の突起部と前記第２の突起部との間の空間に嵌まる凸部を設け、前記ボディには、前記第２の突起部を挿嵌する溝部を設けたものであって、前記第１の突起部を前記凹部に圧入し、前記凸部を前記空間に圧入し、前記第２の突起部を前記溝部に挿嵌すると共に前記凸部によって位置規制されてコイル端子が保持されることを特徴としている。
【００１１】
請求項２に係る発明の電磁リレーの端子保持構造は、請求項１の構成において、前記溝部は、前記ボディの一側面に所定間隔、隔てて設けられ、コイル端子の長手方向に対して略直交する平面内において、電磁石が回動することを規制しているものとしている。
【００１２】
【発明の実施の形態】
以下、本発明の実施の形態について、図面を参照して詳細に説明する。なお、本実施形態の基本的な構成は従来の技術において説明したもの（図７に示したもの）と同様であるから、基本的機能が実質的に同様の部分には同一の符号を付し、共通する部分についてはその詳細な説明を省略する。
【００１３】
図１乃至図４は、本発明に係る電磁リレーの端子保持構造の実施の形態を示す図であり、図１及び図２は、それぞれ側面断面図及び上面図、図３は、電磁石ブロック１及びコイル端子２の側面断面図、図４は、ボディ３の側面断面図である。
【００１４】
この電磁リレーの端子保持構造は、コイル端子２に、第２の突起部２４を設け、ボディ３に、溝部３１を設けてあることを特徴とするものである。具体的には、コイル端子２には、コイル端子本体２１の長手方向に対して略直交する方向であって相互に略平行な方向に突出する第１及び第２の突起部２３及び２４を所定間隔、隔てて設けて、コイルボビン１１の凸部１１ｂが、第１の突起部２３と第２の突起部２４との間の空間２５に嵌まるようにしてある。また、ボディ３には、第２の突起部２４を挿嵌する溝部３１，３１を設けてある。さらに、ボディ３には、図示していないが、カード、接点ばね及び接点等が適宜設けてある。
【００１５】
かくして、コイル端子２は、以下のようにして取り付けられるのである。まず、図３において、第１の突起部２３を凹部１１ａに圧入すると共に、凸部１１ｂを第１の突起部２３と第２の突起部２４との間に圧入して、一対のコイル端子２，２をコイルボビン１１に保持させる。次いで、図１において、第２の突起部２４，２４を溝部３１，３１にそれぞれ挿嵌して、電磁石ブロック１をボディ３に固着する。
【００１６】
したがって、上記構成によれば、コイル端子２は、第１の突起部２３が凹部１１ａに圧入されると共に、凸部１１ｂが第１の突起部２３と第２の突起部２４との間の空間２５に圧入され、さらに、第２の突起部２４が溝部３１に挿嵌されるので、安定して大きな圧入強度が得られるものとなる。
【００１７】
また、電磁石ブロック１は、一対のコイル端子２，２の第２の突起部２４，２４が、ボディ３に設けた一対の溝部３１，３１にそれぞれ挿嵌してボディ３に固着されるので、電磁石ブロック１をボディ３に取り付ける際の位置決めが容易になると共に、図２における矢印方向の移動が規制されて、電磁石ブロック１とボディ３との位置関係が安定させられるものとなる。
【００１８】
【発明の効果】
請求項１に係る発明の電磁リレーの端子保持構造は、コイル端子に設けた第１の突起部をコイルボビンに形成した凹部に圧入し、コイルボビンに形成した凸部をコイル端子に設けた第１の突起部と第２の突起部との間の空間に圧入し、前記第２の突起部をボディに形成した溝部に挿嵌すると共に前記凸部によって位置規制されてコイル端子が保持されることを特徴としているので、安定して大きな圧入強度が得られるものとなる。
【００１９】
請求項２に係る発明の電磁リレーの端子保持構造は、請求項１の構成において、溝部は、ボディの一側面に所定間隔、隔てて設けられ、コイル端子の長手方向に対して略直交する平面内において、電磁石が回動することを規制しているので、電磁石とボディとの位置関係が安定させられるものとなる。
【図面の簡単な説明】
【図１】本発明に係る電磁リレーの端子保持構造の実施の形態を示す側面断面図である。
【図２】同上の実施の形態を示す上面図である。
【図３】同上の実施の形態に係る電磁石ブロック及びコイル端子の側面断面図である。
【図４】同上の実施の形態に係るボディの側面断面図である。
【図５】従来の電磁リレーの端子保持構造を示す断面図である。
【図６】同上におけるコイル端子の圧入過程を説明するための断面図である。
【図７】別の従来の電磁リレーの端子保持構造を示す側面断面図である。
【符号の説明】
１　　　　　　電磁石（電磁石ブロック）
１１　　　　コイルボビン
１１ａ　　凹部
１１ｂ　　凸部
１２　　　　コイル
２　　　　　　コイル端子
２３　　　　第１の突起部
２４　　　　第２の突起部
２５　　　　第１の突起部と第２の突起部との間の空間
３　　　　　　ボディ
３１　　　　溝部
【図１】
2004119033.tif 000003
【図２】
2004119033.tif 000004
【図３】
2004119033.tif 000005
【図４】
2004119033.tif 000006
【図５】
2004119033.tif 000007
【図６】
2004119033.tif 000008
【図７】
2004119033.tif 000009